【手続補正書】
【提出日】平成17年3月1日(2005.3.1)
【手続補正１】
【補正対象書類名】明細書
【補正対象項目名】発明の名称
【補正方法】変更
【補正の内容】
【発明の名称】画素回路、発光装置及び電子機器
【手続補正２】
【補正対象書類名】明細書
【補正対象項目名】特許請求の範囲
【補正方法】変更
【補正の内容】
【特許請求の範囲】
【請求項１】
直列に接続された複数のトランジスタを含む駆動用素子と、複数のスイッチを有し、
前記複数のトランジスタの各々のゲート電極は、互いに接続され、
前記複数のスイッチの各々がオン又はオフになり、前記複数のトランジスタがオンになると、前記複数のトランジスタの各々に、画素に対する映像信号の入力に基づく第１の電流、又は前記映像信号に基づく第２の電流が流れることを特徴とする画素回路。
【請求項２】
直列に接続された複数のトランジスタを含む駆動用素子、第１のスイッチ及び第２のスイッチを有し、
前記複数のトランジスタの各々のゲート電極は、互いに接続され、
前記第１のスイッチは、前記複数のトランジスタと信号線の導通を制御し、
前記第２のスイッチは、前記複数のトランジスタと電源線の導通を制御することを特徴とする画素回路。
【請求項３】
直列に接続された複数のトランジスタを含む駆動用素子、第１のスイッチ及び第２のスイッチを有し、
前記複数のトランジスタの各々のゲート電極は、互いに接続され、
前記第１のスイッチは、前記複数のトランジスタと信号線の導通を制御し、
前記第２のスイッチは、前記複数のトランジスタと電源線の導通を制御し、
前記第１のスイッチと前記第２のスイッチがオンであり、前記複数のトランジスタがオンのとき、前記複数のトランジスタの各々に、画素に対する映像信号の入力に基づく第１の電流が流れ、
前記第１のスイッチと前記第２のスイッチがオフであり、前記複数のトランジスタがオンのとき、前記複数のトランジスタの各々に、前記映像信号に基づく第２の電流が流れることを特徴とする画素回路。
【請求項４】
直列に接続された複数のトランジスタを含む駆動用素子、第１のスイッチ、第２のスイッチ及び第３のスイッチを有し、
前記複数のトランジスタの各々のゲート電極は、互いに接続され、
前記第１のスイッチは、前記複数のトランジスタと信号線の導通を制御し、
前記第２のスイッチと前記第３のスイッチは、前記複数のトランジスタと電源線の導通を制御することを特徴とする画素回路。
【請求項５】
直列に接続された複数のトランジスタを含む駆動用素子、第１のスイッチ、第２のスイッチ及び第３のスイッチを有し、
前記複数のトランジスタの各々のゲート電極は、互いに接続され、
前記第１のスイッチは、前記複数のトランジスタと信号線の導通を制御し、
前記第２のスイッチと前記第３のスイッチは、前記複数のトランジスタと電源線の導通を制御し、
前記第１のスイッチと前記第２のスイッチがオンであり、前記複数のトランジスタがオンのとき、前記複数のトランジスタの各々に、画素に対する映像信号の入力に基づく第１の電流が流れ、
前記第１のスイッチと前記第２のスイッチがオフであり、前記複数のトランジスタがオンのとき、前記複数のトランジスタの各々に、前記映像信号に基づく第２の電流が流れ、
前記第３のスイッチがオンになると、前記複数のトランジスタはオフになることを特徴とする画素回路。
【請求項６】
請求項１において、
前記複数のスイッチの各々は、少なくとも１つのトランジスタを含むことを特徴とする画素回路。
【請求項７】
請求項２乃至請求項５のいずれか１項において、
前記第１のスイッチは、少なくとも２つのトランジスタを含むことを特徴とする画素回路。
【請求項８】
請求項２乃至請求項５のいずれか１項において、
前記第２のスイッチは、少なくとも１つのトランジスタを含むことを特徴とする画素回路。
【請求項９】
請求項４又は請求項５において、
前記第３のスイッチは、少なくとも１つのトランジスタを含むことを特徴とする画素回路。
【請求項１０】
請求項１乃至請求項９のいずれか１項において、
前記画素には容量素子が設けられており、
前記容量素子は、前記複数のトランジスタのゲート電極の電位を保持することを特徴とする画素回路。
【請求項１１】
請求項１、請求項３又は請求項５のいずれか一項において、
前記複数のトランジスタの個数ｎ（ｎは自然数）、前記第１の電流ＩW及び前記第２の電流ＩEは、ＩW＝ｎ2×ＩEを満たすことを特徴とする画素回路。
【請求項１２】
直列に接続された複数のトランジスタを含む駆動用素子、第１のスイッチ、第２のスイッチ、第３のスイッチ及び自発光素子を含む画素が設けられ、
前記複数のトランジスタの各々のゲート電極は、互いに接続され、
前記第１のスイッチは、前記複数のトランジスタと信号線の導通を制御し、
前記第２のスイッチは、前記複数のトランジスタと電源線の導通を制御し、
前記第３のスイッチは、前記複数のトランジスタと前記自発光素子の導通を制御することを特徴とする発光装置。
【請求項１３】
直列に接続された複数のトランジスタを含む駆動用素子、第１のスイッチ、第２のスイッチ、第３のスイッチ及び自発光素子を含む画素が設けられ、
前記複数のトランジスタの各々のゲート電極は、互いに接続され、
前記第１のスイッチは、前記複数のトランジスタと信号線の導通を制御し、
前記第２のスイッチは、前記複数のトランジスタと電源線の導通を制御し、
前記第３のスイッチは、前記複数のトランジスタと前記自発光素子の導通を制御し、
前記第１のスイッチと前記第２のスイッチがオンであり、前記複数のトランジスタがオンのとき、前記複数のトランジスタの各々に、画素に対する映像信号の入力に基づく第１の電流が流れ、
前記第１のスイッチと前記第２のスイッチがオフであり、前記第３のスイッチがオンであり、前記複数のトランジスタがオンのとき、前記複数のトランジスタの各々と前記自発光素子に、前記映像信号に基づく第２の電流が流れることを特徴とする発光装置。
【請求項１４】
直列に接続された複数のトランジスタを含む駆動用素子、第１のスイッチ、第２のスイッチ、第３のスイッチ、第４のスイッチ及び自発光素子を含む画素が設けられ、
前記複数のトランジスタの各々のゲート電極は、互いに接続され、
前記第１のスイッチは、前記複数のトランジスタと信号線の導通を制御し、
前記第２のスイッチと前記第４のスイッチは、前記複数のトランジスタと電源線の導通を制御し、
前記第３のスイッチは、前記複数のトランジスタと前記自発光素子の導通を制御することを特徴とする発光装置。
【請求項１５】
直列に接続された複数のトランジスタを含む駆動用素子、第１のスイッチ、第２のスイッチ、第３のスイッチ、第４のスイッチ及び自発光素子を含む画素が設けられ、
前記複数のトランジスタの各々のゲート電極は、互いに接続され、
前記第１のスイッチは、前記複数のトランジスタと信号線の導通を制御し、
前記第２のスイッチと前記第４のスイッチは、前記複数のトランジスタと電源線の導通を制御し、
前記第３のスイッチは、前記複数のトランジスタと前記自発光素子の導通を制御し、
前記第１のスイッチと前記第２のスイッチがオンであり、前記複数のトランジスタがオンのとき、前記複数のトランジスタの各々に、画素に対する映像信号の入力に基づく第１の電流が流れ、
前記第１のスイッチと前記第２のスイッチがオフであり、前記第３のスイッチがオンであり、前記複数のトランジスタがオンのとき、前記複数のトランジスタの各々と前記自発光素子に、前記映像信号に基づく第２の電流が流れ、
前記第４のスイッチがオンになると、前記複数のトランジスタはオフになることを特徴とする発光装置。
【請求項１６】
請求項１２乃至請求項１５のいずれか１項において、
前記第１のスイッチは、少なくとも２つのトランジスタを含むことを特徴とする発光装置。
【請求項１７】
請求項１２乃至請求項１５のいずれか１項において、
前記第２のスイッチは、少なくとも１つのトランジスタを含むことを特徴とする発光装置。
【請求項１８】
請求項１２乃至請求項１５のいずれか１項において、
前記第３のスイッチは、少なくとも１つのトランジスタを含むことを特徴とする発光装置。
【請求項１９】
請求項１４又は請求項１５において、
前記第４のスイッチは、少なくとも１つのトランジスタを含むことを特徴とする発光装置。
【請求項２０】
請求項１２乃至請求項１９のいずれか１項において、
前記画素には容量素子が設けられており、
前記容量素子は、前記複数のトランジスタのゲート電極の電位を保持することを特徴とする発光装置。
【請求項２１】
請求項１３又は請求項１５において、
前記第１の電流ＩW、前記第２の電流ＩE、及び前記複数のトランジスタの個数ｎ（ｎは自然数）は、ＩW＝ｎ2×ＩEを満たすことを特徴とする発光装置。
【請求項２２】
請求項１２乃至請求項２１のいずれか一項において、
駆動回路が設けられており、
前記画素と前記駆動回路は、同じ基板上に設けられていることを特徴とする発光装置。
【請求項２３】
請求項１２乃至請求項２１のいずれか一項において、
駆動回路が設けられており、
前記画素と前記駆動回路は、同じ基板上に設けられており、
前記駆動回路は、走査線駆動回路を有することを特徴とする発光装置。
【請求項２４】
請求項１２乃至請求項２１のいずれか一項において、
駆動回路が設けられており、
前記画素と前記駆動回路は、同じ基板上に設けられており、
前記駆動回路は、信号線駆動回路を有することを特徴とする発光装置。
【請求項２５】
請求項１２乃至請求項２１のいずれか一項において、
駆動回路が設けられており、
前記画素と前記駆動回路は、同じ基板上に設けられており、
前記駆動回路は、信号線駆動回路と走査線駆動回路を有することを特徴とする発光装置。
【請求項２６】
請求項２４又は請求項２５において、
前記信号線駆動回路は、電圧形式の映像信号を電流形式の映像信号に変換する動作又は電圧形式のビデオ信号を増幅する動作を行う電圧電流変換回路を有することを特徴とする発光装置。
【請求項２７】
請求項１２乃至請求項２６のいずれか一項において、
前記自発光素子は、有機発光ダイオードであることを特徴とする発光装置。
【請求項２８】
請求項１乃至請求項１１のいずれか一項に記載の前記画素回路を用いた電子機器。
【請求項２９】
請求項１２乃至請求項２７のいずれか一項に記載の前記発光装置を用いた電子機器。
【手続補正３】
【補正対象書類名】明細書
【補正対象項目名】００５８
【補正方法】変更
【補正の内容】
【００５８】
図３（Ａ）に示す画素１１においては、第１スイッチ１２又は第２スイッチ１３のトランジスタ５１〜５４、第４スイッチ１８のトランジスタ６０はｎチャネル型であり、第３スイッチ１４のトランジスタ５５はｐチャネル型である。これは、図２（Ａ）（Ｂ）の例の場合と異なっている。しかしこれは、スイッチのトランジスタのチャネル型に関して、特に制限がないことを例示したものにすぎない。
【手続補正４】
【補正対象書類名】明細書
【補正対象項目名】００６６
【補正方法】変更
【補正の内容】
【００６６】
図４（Ａ）には、j行i列目に配置された画素１１を示す。そして画素１１は、信号線(Si)、電源線(Vi)、第１走査線(Gaj)、第２走査線(Gbj)、トランジスタ９１〜１０３、１０６、容量素子１０４、自発光素子１０５を有する。図４（Ａ）に示す画素１１は、図１（Ｂ）に示す画素１１を具体的にトランジスタで図示したものであり、ｐチャネル型のトランジスタ９１〜９４は第１スイッチ１２に相当する。ｐチャネル型のトランジスタ９５〜９８は第２スイッチ１３に相当し、ｎチャネル型のトランジスタ９９は第３スイッチ１４に相当する。ｐチャネル型のトランジスタ１００〜１０３は駆動用素子１５に相当する。ｎチャネル型のトランジスタ１０６は第４スイッチ１８に相当する。
【手続補正５】
【補正対象書類名】明細書
【補正対象項目名】００９４
【補正方法】変更
【補正の内容】
【００９４】
図６には、j行i列目の画素１１を示す。図６において、二点破線で囲んだ領域が画素１１に相当する。点模様の領域は、ポリシリコン膜である。右上り斜線と右下り二重斜線は、それぞれ別の層の導電体膜（金属膜等）である。バツ印は層間の接触点を示す。そして、チェック模様の領域８６は自発光素子８４の陽極に相当する。
【手続補正６】
【補正対象書類名】明細書
【補正対象項目名】０１０４
【補正方法】変更
【補正の内容】
【０１０４】
次いで、信号線駆動回路１８０３の例を、図７（Ｃ）を用いて説明する。図７（Ｃ）に示す信号線駆動回路１８０３は、シフトレジスタ１８３１、第１のラッチ回路１８３２、第２のラッチ回路１８３３、電圧電流変換回路１８３４を有している。